(57)【要約】【課題】  関節が固くなり変形してしまう疾患などで、指先が床に着いた状態で歩行しなければならない状態を少しでも軽減するため、装脱着が容易で、足に着けたままで靴やスリッパなどを履くこともできる布製の足指矯正具。【解決手段】  固くなり曲がってしまった指の関節を起こすための指枕部に、親指と小指に引っ掛けて指枕を足に固定する親指と小指用２つの固定用ループを縫い付け、２つの固定用ループの間に、親指と人差指、人差指と中指、中指と薬指間の間に３つの指間挿嵌用突起を縫い付けて構成される布製の足指矯正具。【選択図】図４
0003125600.tif 000002
【実用新案登録請求の範囲】
【請求項１】
関節が固くなり変形してしまう疾患で、指先が床に着いた状態で歩行しなければならない状態を、少しでも軽減するためのもので、固くなり曲がってしまった指の関節を起こすための指枕部、親指と小指に引っ掛けて指枕を足に固定する親指用と小指用２つの固定用ループと、２つの固定用ループの間に、親指と人差指の指間用、人差指と中指の指間用、中指と薬指の指間用の３つの指間挿嵌用突起を指枕部に突設・構成される布製足指矯正具である。
【請求項２】
請求項１で示す布製足指矯正具の親指用と小指用２つの固定用ループ間に、人差指と中指の指間用、中指と薬指の指間用の２つの指間挿嵌用突起を指枕部に突設・構成される布製足指矯正具である。
【請求項３】
請求項１で示す布製足指矯正具の親指と小指用２つの固定用ループ間に、親指と人差指の指間用、人差指と中指の指間用、中指と薬指の指間用、薬指と小指の指間用の４つの指間挿嵌用突起を指枕部に突設・構成される布製足指矯正具である。
【請求項４】
請求項１で示す布製足指矯正具を足に固定させるために、足指付根部のカーブに合わせて親指付根と小指付根の甲部を通るテープを付設する布製足指矯正具である。
【請求項５】
請求項２で示す布製足指矯正具を足に固定させるために、足指付根部のカーブに合わせて親指付根と小指付根の甲部を通るテープを付設する布製足指矯正具である。
【請求項６】
請求項３で示す布製足指矯正具を足に固定させるために、足指付根部のカーブに合わせて親指付根と小指付根の甲部を通るテープを付設する布製足指矯正具である。
【考案の詳細な説明】
【技術分野】
【０００１】  本考案は、関節が固くなり変形してしまう疾患などで、指先が床に着いた状態で歩行しなければならない人のこのような状態を少しでも軽減するための布製の足指矯正具に関するものである。
【背景技術】
【０００２】  脳傷害等の疾病により、足先が拘縮すると、指が開き難く、第１指（親指）、第２指（人差し指）、第３指（中指）、第４指（薬指）、第５指（小指）が足裏側に折れ曲がるようになり、さらに、親指が人差し指側に倒れ、親指の爪で人差し指の足指を傷つける恐れがある。さらに、拘縮状態が続くと、むれにより、親指と人差指、人差し指と中指、中指と薬指、薬指と小指の４ヶ所の指間および足裏側に折れ曲がる親指、人差し指、中指、薬指、小指と足裏間が汗疱状態になり、悪臭を放つようになる恐れがある。また、関節が固くなり変形してしまう疾患などで、指先が床に着いた状態で歩行しなければならない人もある。
このように不自由になった足先の回復するものとして、突起が１つで親指と他の４指とを分ける外反母趾防止用靴下や、むれにより、指間が汗疱状態になり、悪臭を放つようになるのを防止するためのものとして、５指を別々に分ける５本指靴下や指間挿入グッズがあるが、これらは、親指が人差し指側に倒れ込み変形するのを防ぐことは難しく、足指型通りに突起部分が並んでいないため、装着も難しいものであり、親指、人差し指、中指、薬指、小指と足裏間を開けるものでもなかった。
そこで、健常な人の足裏形状に裁断した吸水性の良い足裏肌面布地の足指根元部に、足指根元形状に合わせて、円弧状に縫製されているふくらみ突起、および、親指と人差し指間挿嵌用の大きなふくらみ突起と３本の指間挿嵌用突起を縫製突設し、足裏肌面布地とふくらみを一体とした足裏肌面布地をつくり、健常な人の足裏形状に合わせて裁断した足床裏生地と、足裏肌面布地の周囲に合わせてくりぬき裁断したやわらかく伸びやすい保護カバー布地をつくり、ふくらみを一体とした足裏肌面布地と足床裏生地と保護カバー布地を合わせて縫製することを特徴とする布製足指矯正具を開発した。この布製足指矯正具は、保護カバーと一体となっており、それだけで保温性があり、便利なものであるが、一方では、暑い季節には蒸れがあり、素足感を味わえない、お出かけのときに靴を履いたりするのに不便でもあった。【０００３】
【特許文献１】特許第３０９９１９２号
【特許文献２】特開  平１１−２４４３５３  足指サポーター
【特許文献３】特願  ２００４−３０８８８０  布製足指矯正具
【特許文献４】実登  ３１０５８４０  足指カバー
【特許文献５】実登  ３０８３５６９  足指矯正具
【特許文献６】実登  ３０２３９１９  足指取付用保健具
【非特許文献１】５本指靴下カタログ
【非特許文献２】指間挿入健康グッズカタログ
【考案の開示】
【考案が解決しようとする課題】
【０００３】  容易に足先に装着でき、関節が固くなり変形してしまう疾患などで、指先が床に着いた状態で歩行しなければならない状態が少しでも軽減でき、足に装着したままで靴やスリッパなどを履くこともでき、暑い季節でも素足感を味わえて、足指間などが蒸れず、蒸れにより、指間などが汗疱状態になり、悪臭を放つようになるのを防止できる布製の足指矯正具が要望されている。
【課題を解決するための手段】
【０００４】  固くなり曲がってしまった指の関節を起こすための指枕部、親指と小指に引っ掛けて指枕を足に固定する親指固定用ループと小指固定用ループ、この２つの固定用ループの間に、親指と人差指、人差指と中指、中指と薬指、薬指と小指の指間挿嵌用に、２つまたは、３つまたは、４つの指間挿嵌用突起を設ける布製の足指矯正具
【考案の効果】
【０００５】  関節が固くなり変形してしまう疾患などで、指先が床に着いた状態で歩行しなければならない状態を装着することで、少しでも軽減することができ、足先への装着のみなので、靴やスリッパなどを履くこともできる。【０００６】  吸湿性のある布地を用いると、足指間などが蒸れず、むれにより、指間などが汗疱状態になり、悪臭を放つようになるのを防止することができる。【０００７】  伸縮性のある布地を用いると足指に装着しやすい。【０００８】  足先への装着のみなので、暑い季節でも素足感を味わえる。
【考案を実施するための最良の形態】
【０００９】  固くなり曲がってしまった指の関節を起こすための指枕部、親指と小指に引っ掛けて指枕を足に固定する親指固定用ループと小指用固定用ループ、この２つの固定用ループの間に、親指と人差指、人差指と中指、中指と薬指の指間挿嵌用の３つの指間挿嵌用突起で構成される布製の足指矯正具で、吸湿性、伸縮性のある布地を用いたもの。
【実施例】
【００１０】  指枕部、親指と小指に引っ掛けて指枕を足に固定する親指固定用ループと小指固定用ループ、この２つの固定用ループの間に、人差指と中指、中指と薬指の指間挿嵌用の２つの指間挿嵌用突起で構成される布製の足指矯正具で、吸湿性、伸縮性のある布地を用いたもの。【００１１】  指枕部、親指と小指に引っ掛けて指枕を足に固定する親指固定用ループと小指固定用ループ、この２つの固定用ループの間に、親指と人差指、人差指と中指、中指と薬指、薬指と小指の指間挿嵌用に４つの指間挿嵌用突起で構成される布製の足指矯正具で、吸湿性、伸縮性のある布地を用いたもの。【００１２】  布製足指矯正具の指間挿嵌用突起について、足指から離れないように、そのふくらみを増やすこと、とくに、親指と人差指の指間挿嵌用突起については、そら豆状の大きい指間挿嵌用突起にすることもできる。【００１３】  布製足指矯正具の親指固定用ループと小指固定用ループについて、付設位置を変更することもできる。【００１４】  ３つの指間挿嵌用突起が付設される足指矯正具について、指間挿嵌用突起のふくらみを増やすとともに、足指付根部のカーブに合わせて親指付根と小指付根の甲部を通るアジャスター式固定用テープを付設することもできる。【００１５】  ３つの指間挿嵌用突起が付設される足指矯正具について、指間挿嵌用突起のふくらみを増やすとともに、足指付根部のカーブに合わせて親指付根と小指付根の甲部を通る面ファスナー・スナップ・かぎホック等留め具式固定用テープを付設することもできる。【００１６】  ３つの指間挿嵌用突起が付設される足指矯正具について、指間挿嵌用突起のふくらみを増やすとともに、足指付根部のカーブに合わせて親指付根と小指付根の甲部を通る蝶結び式固定用テープを付設することもできる。
【産業上の利用可能性】
【００１７】  関節が固くなり変形してしまう疾患などで、指先が床に着いた状態で歩行しなければならない状態が少しでも軽減でき、足に装着したままで靴やスリッパなどを履くこともでき、足指間などが蒸れず、むれにより、指間などが汗疱状態になり、悪臭を放つようになるのを防止できる布製の足指矯正具
【図面の簡単な説明】
【００１８】
【図１】不自由な足指
【図２】指間挿嵌用突起を２つ付けた布製の足指矯正具
【図３】図２の足指矯正具を装着した図
【図４】指間挿嵌用突起を３つ付けた布製の足指矯正具
【図５】図４の足指矯正具を装着した図
【図６】図４の足指矯正具の親指と人差指の間の指間挿嵌用突起をそら豆状に大きくした布製の足指矯正具
【図７】図６の足指矯正具を装着した図
【図８】図６の足指矯正具に、足指付根部のカーブに合わせて親指付根と小指付根の甲部を通る固定用テープを付設した布製の足指矯正具
【図９】図８の足指矯正具を装着した図
【図１０】図４の足指矯正具の親指固定用ループ、小指固定用ループの付設位置を変更した布製の足指矯正具
【図１１】図１０の足指矯正具に、足指付根部のカーブに合わせて親指付根と小指付根の甲部を通るアジャスター式固定用テープを付設した布製の足指矯正具
【図１２】図１１の足指矯正具を装着した図
【図１３】図１０の足指矯正具に、足指付根部のカーブに合わせて親指付根と小指付根の甲部を通る留め具式固定用テープを付設した布製の足指矯正具
【図１４】図１３の足指矯正具を装着した図
【図１５】図１０の足指矯正具に、足指付根部のカーブに合わせて親指付根と小指付根の甲部を通る蝶結び式固定用テープを付設した布製の足指矯正具
【図１６】図１５の足指矯正具を装着した図
【図１７】指間挿嵌用突起を４つ付けた布製の足指矯正具
【図１８】図１７の足指矯正具を装着した図
【符号の説明】
【００１９】ａ  指先が常に床に着いている足の親指
ｂ  指先が常に床に着いている足の人差し指
ｃ  指先が常に床に着いている足の中指
ｄ  指先が常に床に着いている足の薬指
ｅ  指先が常に床に着いている足の小指
１  小指固定用ループ
２  薬指と小指の間の指間挿嵌用突起
３  中指と薬指の間の指間挿嵌用突起
４  人差指と中指の間の指間挿嵌用突起
５  親指と人差指の間の指間挿嵌用突起
６  親指固定用ループ
７  足指付根部のカーブに合わせて親指付根と小指付根の甲部を通る固定用テープ
【図１】
0003125600.tif 000003
【図２】
0003125600.tif 000004
【図３】
0003125600.tif 000005
【図４】
0003125600.tif 000006
【図５】
0003125600.tif 000007
【図６】
0003125600.tif 000008
【図７】
0003125600.tif 000009
【図８】
0003125600.tif 000010
【図９】
0003125600.tif 000011
【図１０】
0003125600.tif 000012
【図１１】
0003125600.tif 000013
【図１２】
0003125600.tif 000014
【図１３】
0003125600.tif 000015
【図１４】
0003125600.tif 000016
【図１５】
0003125600.tif 000017
【図１６】
0003125600.tif 000018
【図１７】
0003125600.tif 000019
【図１８】
0003125600.tif 000020
【手続補正書】
【提出日】平成18年6月24日(2006.6.24)
【手続補正１】
【補正対象書類名】明細書
【補正対象項目名】全文
【補正方法】変更
【補正の内容】
【考案の詳細な説明】
【技術分野】
【０００１】  本考案は、関節が固くなり変形してしまう疾患などで、指先が床に着いた状態で歩行しなければならない人のこのような状態を少しでも軽減するための布製の足指矯正具に関するものである。
【背景技術】
【０００２】  脳傷害等の疾病により、足先が拘縮すると、指が開き難く、第１指（親指）、第２指（人差し指）、第３指（中指）、第４指（薬指）、第５指（小指）が足裏側に折れ曲がるようになり、さらに、親指が人差し指側に倒れ、親指の爪で人差し指の足指を傷つける恐れがある。さらに、拘縮状態が続くと、むれにより、親指と人差指、人差し指と中指、中指と薬指、薬指と小指の４ヶ所の指間および足裏側に折れ曲がる親指、人差し指、中指、薬指、小指と足裏間が汗疱状態になり、悪臭を放つようになる恐れがある。また、関節が固くなり変形してしまう疾患などで、指先が床に着いた状態で歩行しなければならない人もある。
このように不自由になった足先の回復するものとして、突起が１つで親指と他の４指とを分ける外反母趾防止用靴下や、むれにより、指間が汗疱状態になり、悪臭を放つようになるのを防止するためのものとして、５指を別々に分ける５本指靴下や指間挿入グッズがあるが、これらは、親指が人差し指側に倒れ込み変形するのを防ぐことは難しく、足指型通りに突起部分が並んでいないため、装着も難しいものであり、親指、人差し指、中指、薬指、小指と足裏間を開けるものでもなかった。
そこで、健常な人の足裏形状に裁断した吸水性の良い足裏肌面布地の足指根元部に、足指根元形状に合わせて、円弧状に縫製されているふくらみ突起、および、親指と人差し指間挿嵌用の大きなふくらみ突起と３本の指間挿嵌用突起を縫製突設し、足裏肌面布地とふくらみを一体とした足裏肌面布地をつくり、健常な人の足裏形状に合わせて裁断した足床裏生地と、足裏肌面布地の周囲に合わせてくりぬき裁断したやわらかく伸びやすい保護カバー布地をつくり、ふくらみを一体とした足裏肌面布地と足床裏生地と保護カバー布地を合わせて縫製することを特徴とする布製足指矯正具を開発した。この布製足指矯正具は、保護カバーと一体となっており、それだけで保温性があり、便利なものであるが、一方では、暑い季節には蒸れがあり、素足感を味わえない、お出かけのときに靴を履いたりするのに不便でもあった。【０００３】
【特許文献１】特許第３０９９１９２号
【特許文献２】特開  平１１−２４４３５３  足指サポーター
【特許文献３】特願  ２００４−３０８８８０  布製足指矯正具
【特許文献４】実登  ３１０５８４０  足指カバー
【特許文献５】実登  ３０８３５６９  足指矯正具
【特許文献６】実登  ３０２３９１９  足指取付用保健具
【非特許文献１】５本指靴下カタログ
【非特許文献２】指間挿入健康グッズカタログ
【考案の開示】
【考案が解決しようとする課題】
【０００４】  容易に足先に装着でき、関節が固くなり変形してしまう疾患などで、指先が床に着いた状態で歩行しなければならない状態が少しでも軽減でき、足に装着したままで靴やスリッパなどを履くこともでき、暑い季節でも素足感を味わえて、足指間などが蒸れず、蒸れにより、指間などが汗疱状態になり、悪臭を放つようになるのを防止できる布製の足指矯正具が要望されている。
【課題を解決するための手段】
【０００５】  固くなり曲がってしまった指の関節を起こすための指枕部、親指と小指に引っ掛けて指枕を足に固定する親指固定用ループと小指固定用ループ、この２つの固定用ループの間に、親指と人差指、人差指と中指、中指と薬指、薬指と小指の指間挿嵌用に、２つまたは、３つまたは、４つの指間挿嵌用突起を設ける布製の足指矯正具
【考案の効果】
【０００６】  関節が固くなり変形してしまう疾患などで、指先が床に着いた状態で歩行しなければならない状態を装着することで、少しでも軽減することができ、足先への装着のみなので、靴やスリッパなどを履くこともできる。【０００７】  吸湿性のある布地を用いると、足指間などが蒸れず、むれにより、指間などが汗疱状態になり、悪臭を放つようになるのを防止することができる。【０００８】  伸縮性のある布地を用いると足指に装着しやすい。【０００９】  足先への装着のみなので、暑い季節でも素足感を味わえる。
【考案を実施するための最良の形態】
【００１０】  固くなり曲がってしまった指の関節を起こすための指枕部、親指と小指に引っ掛けて指枕を足に固定する親指固定用ループと小指用固定用ループ、この２つの固定用ループの間に、親指と人差指、人差指と中指、中指と薬指の指間挿嵌用の３つの指間挿嵌用突起で構成される布製の足指矯正具で、吸湿性、伸縮性のある布地を用いたもの。
【実施例】
【００１１】  指枕部、親指と小指に引っ掛けて指枕を足に固定する親指固定用ループと小指固定用ループ、この２つの固定用ループの間に、人差指と中指、中指と薬指の指間挿嵌用の２つの指間挿嵌用突起で構成される布製の足指矯正具で、吸湿性、伸縮性のある布地を用いたもの。【００１２】  指枕部、親指と小指に引っ掛けて指枕を足に固定する親指固定用ループと小指固定用ループ、この２つの固定用ループの間に、親指と人差指、人差指と中指、中指と薬指、薬指と小指の指間挿嵌用に４つの指間挿嵌用突起で構成される布製の足指矯正具で、吸湿性、伸縮性のある布地を用いたもの。【００１３】  布製足指矯正具の指間挿嵌用突起について、足指から離れないように、そのふくらみを増やすこと、とくに、親指と人差指の指間挿嵌用突起については、そら豆状の大きい指間挿嵌用突起にすることもできる。【００１４】  布製足指矯正具の親指固定用ループと小指固定用ループについて、付設位置を変更することもできる。【００１５】  ３つの指間挿嵌用突起が付設される足指矯正具について、指間挿嵌用突起のふくらみを増やすとともに、足指付根部のカーブに合わせて親指付根と小指付根の甲部を通るアジャスター式固定用テープを付設することもできる。【００１６】  ３つの指間挿嵌用突起が付設される足指矯正具について、指間挿嵌用突起のふくらみを増やすとともに、足指付根部のカーブに合わせて親指付根と小指付根の甲部を通る面ファスナー・スナップ・かぎホック等留め具式固定用テープを付設することもできる。【００１７】  ３つの指間挿嵌用突起が付設される足指矯正具について、指間挿嵌用突起のふくらみを増やすとともに、足指付根部のカーブに合わせて親指付根と小指付根の甲部を通る蝶結び式固定用テープを付設することもできる。
【産業上の利用可能性】
【００１８】  関節が固くなり変形してしまう疾患などで、指先が床に着いた状態で歩行しなければならない状態が少しでも軽減でき、足に装着したままで靴やスリッパなどを履くこともでき、足指間などが蒸れず、むれにより、指間などが汗疱状態になり、悪臭を放つようになるのを防止できる布製の足指矯正具
【図面の簡単な説明】
【００１９】
【図１】不自由な足指
【図２】指枕部に指間挿嵌用突起を２つ付けた布製の足指矯正具
【図３】図２の足指矯正具を装着した図
【図４】指枕部に指間挿嵌用突起を３つ付けた布製の足指矯正具
【図５】図４の足指矯正具を装着した図
【図６】図４の足指矯正具の親指と人差指の間の指間挿嵌用突起をそら豆状に大きくした布製の足指矯正具
【図７】図６の足指矯正具を装着した図
【図８】図６の足指矯正具に、足指付根部のカーブに合わせて親指付根と小指付根の甲部を通る固定用テープを付設した布製の足指矯正具
【図９】図８の足指矯正具を装着した図
【図１０】図４の足指矯正具の親指固定用ループ、小指固定用ループの付設位置を変更した布製の足指矯正具
【図１１】図１０の足指矯正具に、足指付根部のカーブに合わせて親指付根と小指付根の甲部を通るアジャスター式固定用テープを付設した布製の足指矯正具
【図１２】図１１の足指矯正具を装着した図
【図１３】図１０の足指矯正具に、足指付根部のカーブに合わせて親指付根と小指付根の甲部を通る留め具式固定用テープを付設した布製の足指矯正具
【図１４】図１３の足指矯正具を装着した図
【図１５】図１０の足指矯正具に、足指付根部のカーブに合わせて親指付根と小指付根の甲部を通る蝶結び式固定用テープを付設した布製の足指矯正具
【図１６】図１５の足指矯正具を装着した図
【図１７】指枕部に指間挿嵌用突起を４つ付けた布製の足指矯正具
【図１８】図１７の足指矯正具を装着した図
【符号の説明】
【００２０】ａ  指先が常に床に着いている足の親指
ｂ  指先が常に床に着いている足の人差し指
ｃ  指先が常に床に着いている足の中指
ｄ  指先が常に床に着いている足の薬指
ｅ  指先が常に床に着いている足の小指
１  小指固定用ループ
２  薬指と小指の間の指間挿嵌用突起
３  中指と薬指の間の指間挿嵌用突起
４  人差指と中指の間の指間挿嵌用突起
５  親指と人差指の間の指間挿嵌用突起
６  親指固定用ループ
７  足指付根部のカーブに合わせて親指付根と小指付根の甲部を通る固定用テープ
８  指枕部
【手続補正書】
【提出日】平成18年6月24日(2006.6.24)
【手続補正１】
【補正対象書類名】図面
【補正対象項目名】全図
【補正方法】変更
【補正の内容】
【図１】
0003125600.tif 000021
【図２】
0003125600.tif 000022
【図３】
0003125600.tif 000023
【図４】
0003125600.tif 000024
【図５】
0003125600.tif 000025
【図６】
0003125600.tif 000026
【図７】
0003125600.tif 000027
【図８】
0003125600.tif 000028
【図９】
0003125600.tif 000029
【図１０】
0003125600.tif 000030
【図１１】
0003125600.tif 000031
【図１２】
0003125600.tif 000032
【図１３】
0003125600.tif 000033
【図１４】
0003125600.tif 000034
【図１５】
0003125600.tif 000035
【図１６】
0003125600.tif 000036
【図１７】
0003125600.tif 000037
【図１８】
0003125600.tif 000038